(57)【要約】  基地局とユーザ装置とを有する無線通信システムにおけるユーザ装置であって、前記基地局に、当該ユーザ装置がサポートする受信アンテナ数を示すアンテナ数情報を通知する通知部と、前記基地局から、当該ユーザ装置で稼働させる受信アンテナ数を指示する指示情報を受信する第一の受信部と、前記指示情報を受信した場合、前記指示情報で指示された受信アンテナ数の受信アンテナを用いて前記基地局からの下り信号を受信する第二の受信部と、を有するユーザ装置を提供する。
2017033807.tif 000002
【特許請求の範囲】
【請求項１】
基地局とユーザ装置とを有する無線通信システムにおけるユーザ装置であって、
前記基地局に、当該ユーザ装置がサポートする受信アンテナ数を示すアンテナ数情報を通知する通知部と、
前記基地局から、当該ユーザ装置で稼働させる受信アンテナ数を指示する指示情報を受信する第一の受信部と、
前記指示情報を受信した場合、前記指示情報で指示された受信アンテナ数の受信アンテナを用いて前記基地局からの下り信号を受信する第二の受信部と、
を有するユーザ装置。
【請求項２】
前記第二の受信部は、受信アンテナ数の指示を解除することを示す前記指示情報を前記第一の受信部で受信した場合、稼働させる受信アンテナ数を任意に決定して前記基地局からの下り信号を受信する、請求項１に記載のユーザ装置。
【請求項３】
基地局とユーザ装置とを有する無線通信システムにおける基地局であって、
前記ユーザ装置から、前記ユーザ装置でサポートされる受信アンテナ数を示すアンテナ数情報を受信する受信部と、
前記アンテナ数情報に含まれるアンテナ数に基づき、前記ユーザ装置で稼働させる受信アンテナ数を指示する指示情報を前記ユーザ装置に送信する送信部と、
を有する基地局。
【請求項４】
基地局とユーザ装置とを有する無線通信システムにおけるユーザ装置が実行する信号受信方法であって、
前記基地局に、当該ユーザ装置がサポートする受信アンテナ数を示すアンテナ数情報を通知するステップと、
前記基地局から、当該ユーザ装置で稼働させる受信アンテナ数を指示する指示情報を受信するステップと、
前記指示情報を受信した場合、前記指示情報で指示された受信アンテナ数の受信アンテナを用いて前記基地局からの下り信号を受信するステップと、
を有する信号受信方法。
【請求項５】
基地局とユーザ装置とを有する無線通信システムにおける基地局が実行する指示方法であって、
前記ユーザ装置から、前記ユーザ装置でサポートされる受信アンテナ数を示すアンテナ数情報を受信するステップと、
前記アンテナ数情報に含まれるアンテナ数に基づき、前記ユーザ装置で稼働させる受信アンテナ数を指示する指示情報を前記ユーザ装置に送信するステップと、
を有する指示方法。
【発明の詳細な説明】
【技術分野】
【０００１】
本発明は、ユーザ装置、基地局、信号受信方法及び指示方法に関する。
【背景技術】
【０００２】
ＬＴＥ（Long Term Evolution）及びＬＴＥ−Ａ（LTE-Advanced）では、周波数利用効率（システム容量）の向上及びピークスループット向上等を目的として、基地局及びユーザ装置の間で複数のアンテナを用いて送受信を行うＭＩＭＯ（Multi Input Multi Output）と呼ばれる技術が適用されている。ＬＴＥでは、下りリンクにおいて基地局及びユーザ装置の両方で最大４本のアンテナを用いて送受信を行う４×４ＭＩＭＯまでが規定されていたが、ＬＴＥ−Ａでは、下りリンクにおいて基地局及びユーザ装置の両方で最大８本のアンテナを用いて送受信を行う８×８ＭＩＭＯまでが規定されている。
【先行技術文献】
【非特許文献】
【０００３】
【非特許文献１】３ＧＰＰ  ＴＳ３６．３００  Ｖ１２．６．０（２０１５−０６）
【発明の概要】
【発明が解決しようとする課題】
【０００４】
例えば４×４ＭＩＭＯの能力を有するユーザ装置は自身の内部に４本の受信アンテナを備えているが、４本すべての受信アンテナを稼働させて基地局からの下り信号を受信する場合、４本未満（例えば２本）のアンテナを稼働させて下り信号を受信する場合と比較してバッテリー消費量が増大するという問題がある。【０００５】
バッテリー消費量を減らすために、稼働中のアンテナ数を４本から２本に削減した場合、４×４ＭＩＭＯは実現できなくなる（すなわち、最大レイヤ数は２レイヤに低下してしまう）ためピークスループットが低下してしまう。また、仮に２×２ＭＩＭＯで通信中に、稼働中のアンテナ数を４本から２本に削減した場合、ユーザ装置ＵＥでの受信ダイバーシチ利得が小さくなってしまう。すなわち、ユーザ装置のバッテリー消費量と、ピークスループット及び受信品質とはトレードオフの関係にある。【０００６】
基地局側は、ユーザ装置に送信予定のデータ量が多い場合など、より高次のＭＩＭＯレイヤ数を用いることでピークスループットを確保しつつ、高速にデータを送信したい場合などが想定される。一方、ユーザ装置は、自身のバッテリー消費量を減らす必要がある場合、同時に稼働させているアンテナ数を自らの判断で減らすように動作することが考えられる。すなわち、ユーザ装置側で同時に稼働中のアンテナ数が減ることで、基地局が所望するピークスループットを確保することができなくなってしまう。なお、バッテリー消費量の問題は、送信アンテナ数についても同様に発生し得る。【０００７】
ここで、基地局からユーザ装置に対して、ユーザ装置内で稼働させるアンテナ数を必要に応じて指示することができれば問題は解決されると考えられる。しかしながら、現状のＬＴＥでは、基地局からユーザ装置に対して、ユーザ装置内で稼働させるアンテナ数を指示する技術は規定されていない。【０００８】
開示の技術は上記に鑑みてなされたものであって、ユーザ装置内で稼働させるアンテナ数を指示することができる技術を提供することを目的とする。
【課題を解決するための手段】
【０００９】
開示の技術のユーザ装置は、基地局とユーザ装置とを有する無線通信システムにおけるユーザ装置であって、前記基地局に、当該ユーザ装置がサポートする受信アンテナ数を示すアンテナ数情報を通知する通知部と、前記基地局から、当該ユーザ装置で稼働させる受信アンテナ数を指示する指示情報を受信する第一の受信部と、前記指示情報を受信した場合、前記指示情報で指示された受信アンテナ数の受信アンテナを用いて前記基地局からの下り信号を受信する第二の受信部と、を有する。【００１０】
また、開示の技術の基地局は、基地局とユーザ装置とを有する無線通信システムにおける基地局であって、前記ユーザ装置から、前記ユーザ装置でサポートされる受信アンテナ数を示すアンテナ数情報を受信する受信部と、前記アンテナ数情報に含まれるアンテナ数に基づき、前記ユーザ装置で稼働させる受信アンテナ数を指示する指示情報を前記ユーザ装置に送信する送信部と、を有する。
【発明の効果】
【００１１】
開示の技術によれば、ユーザ装置内で稼働させるアンテナ数を指示することができる技術が提供される。
【図面の簡単な説明】
【００１２】
【図１】実施の形態に係る無線通信システムの構成例を示す図である。
【図２Ａ】実施の形態に係る無線通信システムが行う処理手順の一例を示すシーケンス図である。
【図２Ｂ】実施の形態に係る無線通信システムが行う処理手順の一例を示すシーケンス図である。
【図３】ユーザ装置でサポートされる受信アンテナ数を通知するためのＩＥの一例を示す図である。
【図４】ユーザ装置で稼働させる受信アンテナ数を指示するためのＩＥの一例を示す図である。
【図５】実施の形態に係るユーザ装置の機能構成の一例を示す図である。
【図６】実施の形態に係る基地局の機能構成の一例を示す図である。
【図７】実施の形態に係る基地局及びユーザ装置のハードウェア構成の一例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１４】
＜概要＞
図１は、実施の形態に係る無線通信システムの構成例を示す図である。図１に示すように、本実施の形態における無線通信システムは、基地局ｅＮＢとユーザ装置ＵＥとを有する。図１には、１つのユーザ装置ＵＥが図示されているが、図示の便宜上であり、複数のユーザ装置ＵＥが含まれていてもよい。
【００１５】
基地局ｅＮＢは、無線を通じてユーザ装置ＵＥとの間で通信を行う。基地局ｅＮＢは、プロセッサなどのＣＰＵ、ＲＯＭ、ＲＡＭ又はフラッシュメモリなどのメモリ装置、ユーザ装置ＵＥ等と通信するためのアンテナ、隣接する基地局等と通信するための通信インタフェース装置などのハードウェアリソースにより構成される。基地局ｅＮＢの各機能及び処理は、メモリ装置に格納されているデータ及びプログラムをプロセッサが処理又は実行することによって実現されてもよい。しかしながら、基地局ｅＮＢは、上述したハードウェア構成に限定されず、他の何れか適切なハードウェア構成を有してもよい。
【００１６】
ユーザ装置ＵＥは、無線を通じて基地局ｅＮＢ及び他のユーザ装置ＵＥ等と通信を行う機能を有する。ユーザ装置ＵＥは、通信機能を有する機器であれば、どのようなユーザ装置であってもよい。ユーザ装置ＵＥは、プロセッサなどのＣＰＵ、ＲＯＭ、ＲＡＭ又はフラッシュメモリなどのメモリ装置、基地局ｅＮＢと通信するためのアンテナ、ＲＦ（Radio Frequency）装置などのハードウェアリソースにより構成される。ユーザ装置ＵＥの各機能及び処理は、メモリ装置に格納されているデータ及びプログラムをプロセッサが処理又は実行することによって実現されてもよい。しかしながら、ユーザ装置ＵＥは、上述したハードウェア構成に限定されず、他の何れか適切なハードウェア構成を有してもよい。
【００１７】
＜処理手順＞
図２Ａ及びＢは、実施の形態に係る無線通信システムが行う処理手順の一例を示すシーケンス図である。なお、図２Ａは、基地局ｅＮＢからユーザ装置ＵＥに対して、同時に稼働させる受信アンテナ数の指示及び解除を行う際の処理手順を示しており、図２Ｂは、ユーザ装置ＵＥが、稼働中の受信アンテナを用いて下り信号を受信する際の処理手順を示している。まず、図２Ａについて説明する。
【００１８】
ステップＳ１１で、ユーザ装置ＵＥは、ユーザ装置ＵＥ自身がサポートする受信アンテナ数を基地局ｅＮＢに通知するために、アンテナ数通知信号を基地局ｅＮＢに送信する。アンテナ数通知信号には、ユーザ装置ＵＥ自身がサポートする受信アンテナ数を示す情報（以下、「アンテナ数情報」と呼ぶ）が格納されている。なお、ユーザ装置ＵＥ自身がサポートする受信アンテナ数とは、ユーザ装置ＵＥ内で同時に稼働させることが可能な受信アンテナ数を意味する。
【００１９】
アンテナ数情報には、同時に稼働させることが可能な受信アンテナ数の最大値が設定されるようにしてもよい。例えば、８本の受信アンテナを有するユーザ装置ＵＥであり、かつ、１本〜８本のうち任意の数のアンテナを稼働させることが可能なユーザ装置ＵＥであれば、アンテナ数情報に「８本」を示す値を設定して基地局ｅＮＢに通知する。この場合、基地局ｅＮＢは、ユーザ装置ＵＥにおいて、１本〜８本のうち任意の数のアンテナを同時に稼働させることができると認識する。
【００２０】
また、アンテナ数情報には、同時に稼働させることが可能な受信アンテナ数が個別に設定されるようにしてもよい。例えば、上述のユーザ装置ＵＥは、アンテナ数情報に「１本」〜「８本」の値を個別に設定して基地局ｅＮＢに通知するようにしてもよい。
【００２１】
また、８本の受信アンテナを有するユーザ装置ＵＥであり、かつ、１本〜８本のうち１本、４本又は８本の受信アンテナを同時に稼働させることが可能なユーザ装置ＵＥ（つまり、１本、４本又は８本の受信アンテナを同時に稼働させることは可能であるが、２本、３本、５本〜７本を同時に稼働させることはできないユーザ装置ＵＥ）であれば、アンテナ数情報に、１本、４本及び８本を示す値を個別に設定して基地局ｅＮＢに通知するようにしてもよい。この場合、基地局ｅＮＢは、ユーザ装置ＵＥにおいて同時に稼働させることが可能な受信アンテナ数は、１本、４本又は８本のいずれかであると認識する。これにより、例えば、ユーザ装置ＵＥにおいて、同時に稼働させる受信アンテナ数を制御する処理等を簡素化することが可能になる。
【００２２】
なお、アンテナ数通知信号は、例えばＲＲＣメッセージであってもよいし、例えばＲＲＣ  ＵＥ  Ｃａｐａｂｉｌｉｔｙ  Ｉｎｆｏｒｍａｔｉｏｎメッセージであってもよい。また、アンテナ数情報は、「ｓｕｐｐｏｒｔｅｄＲｘＡｎｔｅｎｎａＮｕｍｂｅｒ」と呼ばれてもよい。また、アンテナ数情報は、ＵＥ−ＥＵＴＲＡ−Ｃａｐａｂｉｌｉｔｙ  Ｉｎｆｏｒｍａｔｉｏｎ  Ｅｌｅｍｅｎｔに含まれていてもよい。図３に、アンテナ数情報を含むＵＥ−ＥＵＴＲＡ−Ｃａｐａｂｉｌｉｔｙ  Ｉｎｆｏｒｍａｔｉｏｎ  Ｅｌｅｍｅｎｔの一例を示す。図３の例では、設定値の例として「ｒｘ１、ｒｘ２、ｒｘ４、ｒｘ８」が示されているが、設定可能な受信アンテナ数に制約はない。例えば、ｒｘ３、ｒｘ５、ｒｘ６、ｒｘ７が設定されてもよいし、９本以上の受信アンテナ数が設定されてもよい。
【００２３】
ステップＳ１２で、基地局ｅＮＢは、ユーザ装置ＵＥから受信したアンテナ数情報に設定されている受信アンテナ数に基づいて、ユーザ装置ＵＥで稼働させるべき受信アンテナ数を決定する。例えば、基地局ｅＮＢは、ユーザ装置ＵＥに送信すべき下りデータが大量に滞留している場合（例えば、滞留しているデータ量が所定の閾値を上回る場合等）、より高次のＭＩＭＯを用いてピークスループットを確保するために、ユーザ装置ＵＥから通知された最大の受信アンテナ数を、ユーザ装置ＵＥに稼働させるべき受信アンテナ数として決定してもよい。
【００２４】
また、例えば、カバレッジエリア内に多くのユーザ装置ＵＥ数が在圏しておりピークスループットが低下しているような状況であると判断した場合、ユーザ装置ＵＥのバッテリー消費量を減らすために、ユーザ装置ＵＥから通知された最大受信アンテナ数よりも少ないアンテナ数を、ユーザ装置ＵＥに稼働させるべき受信アンテナ数として決定してもよい。
【００２５】
また、基地局ｅＮＢ自身が備える送信アンテナ数が少ない（例えば１本など）場合、ユーザ装置ＵＥで稼働させる受信アンテナ数が、基地局ｅＮＢ自身が備える送信アンテナ数以下になるようにユーザ装置ＵＥに指示してもよい。ユーザ装置ＵＥのバッテリー消費量を強制的に軽減させることができる。
【００２６】
ステップＳ１３で、基地局ｅＮＢは、ステップＳ１２で決定した受信アンテナ数をユーザ装置ＵＥに指示するために、アンテナ数指示信号をユーザ装置ＵＥに送信する。アンテナ数指示信号には、ユーザ装置ＵＥで同時に稼働させる受信アンテナ数を指示する情報（以下、「指示情報」と呼ぶ）が格納されている。
【００２７】
なお、アンテナ数指示信号は、例えば、ＲＲＣメッセージであってもよいし、ＲＲＣ  Ｃｏｎｎｅｃｔｉｏｎ  Ｒｅｃｏｎｆｉｇｕｒａｔｉｏｎメッセージであってもよい。また、指示情報は、「ｕｅ‐ＲｘＡｎｔｅｎｎａＮｕｍｂｅｒｓ」と呼ばれてもよい。また、指示情報は、ＡｎｔｅｎｎａＩｎｆｏ  Ｉｎｆｏｒｍａｔｉｏｎ  Ｅｌｅｍｅｎｔｓに含まれていてもよい。図４に、指示情報を含むＡｎｔｅｎｎａＩｎｆｏ  Ｉｎｆｏｒｍａｔｉｏｎ  Ｅｌｅｍｅｎｔｓの一例を示す。図４の例では、設定値の例として「ｒｘ１、ｒｘ２、ｒｘ３、ｒｘ４、ｒｘ５、ｒｘ６、ｒｘ７、ｒｘ８」のうちいずれか１つが設定されることが示されているが、設定値はこれに限られない。例えば、９本以上の受信アンテナ数が設定されることも可能である。
【００２８】
また、アンテナ数指示信号は、レイヤ１又はレイヤ２の信号であってもよい。より具体的には、アンテナ数指示信号はＰＤＣＣＨ（Physical Downlink Control Channel）であり、指示情報はＤＣＩ（Downlink Control Information）に含まれていてもよい。ＤＣＩに指示情報を含めることで、基地局ｅＮＢは、例えばサブフレーム単位で、同時に稼働させる受信アンテナ数をユーザ装置ＵＥに指示することができ、下りリンクのスケジューリングの自由度を高めることが可能になる。
【００２９】
ステップＳ１４で、ユーザ装置ＵＥは、ステップＳ１３の処理手順で受信した指示情報で指示された数の受信アンテナを稼働させる。
【００３０】
基地局ｅＮＢは、ステップＳ１２の処理手順を繰り返し行い、ユーザ装置ＵＥで同時に稼働させる受信アンテナ数を変更すべきと判断した場合、再度、アンテナ数指示信号を送信するようにしてもよい。すなわち、ステップＳ１２〜ステップＳ１４の処理手順は、必要に応じて適宜繰り返されるようにしてもよい。
【００３１】
また、基地局ｅＮＢは、同時に稼働させる受信アンテナ数を指示する必要がなくなったと判断した場合、ステップＳ１３の処理手順で行った指示を解除することをユーザ装置ＵＥに通知するようにしてもよい。
【００３２】
具体的には、基地局ｅＮＢは、ステップＳ１３の処理手順において、指示情報に、受信アンテナ数の指示を解除することを示す情報を設定して、アンテナ数指示信号をユーザ装置ＵＥに送信する。図４の例では、指示情報のうちｒｅｌｅａｓｅの値が「ＮＵＬＬ」である場合、受信アンテナ数の指示を解除することを意味している。なお、受信アンテナ数の指示を解除することは、指示情報に値が設定されないことで暗示的に示されてもよい。
【００３３】
受信アンテナ数の指示を解除することを示す情報が設定されている指示情報を受信したユーザ装置ＵＥは、以後、同時に稼働させる受信アンテナ数をユーザ装置ＵＥ自身で任意に決定するようにする。これにより、ユーザ装置ＵＥにおいて、同時に稼働させる受信アンテナ数が半永久的に固定されてしまうことを回避することができる。
【００３４】
なお、ユーザ装置ＵＥは、受信アンテナ数の指示を解除することの通知を基地局ｅＮＢから受信していない場合であっても、所定の契機により、自らの判断で受信アンテナ数の指示を解除するようにしてもよい。所定の契機は、例えは、予め定められた所定の期間が経過した場合、ハンドオーバーが行われた場合、ユーザ装置ＵＥ自身が再起動した場合、ネットワークからデタッチした場合、又は、再接続が行われた場合などであってもよい。また、自らの判断で受信アンテナ数の指示を解除した場合、ユーザ装置ＵＥは、自らの判断で受信アンテナ数の指示を解除したことを基地局ｅＮＢに通知するようにしてもよい。
【００３５】
これにより、何らかの理由で、受信アンテナ数の指示を解除することの通知を受信できない場合に、ユーザ装置ＵＥにおいて、同時に稼働させる受信アンテナ数が半永久的に固定されてしまうことを回避することができる。また、基地局ｅＮＢは、ユーザ装置ＵＥが自らの判断で受信アンテナ数の指示を解除したことを把握することができる。
【００３６】
なお、本実施の形態における無線通信システムは、ステップＳ１１乃至ステップＳＳ１４で説明した処理手順と同様の処理手順を用いて、ユーザ装置ＵＥ内で同時に稼働させる送信アンテナ数を制御するようにしてもよい。例えば、ユーザ装置ＵＥは、ステップＳ１１と同様の処理手順を用いて、ユーザ装置ＵＥ自身がサポートする送信アンテナ数を基地局ｅＮＢに通知するようにしてもよい。また、基地局ｅＮＢは、ステップＳ１３と同様の処理手順を用いて、ユーザ装置ＵＥで同時に稼働させる送信アンテナ数を指示するようにしてもよい。また、ユーザ装置ＵＥは、基地局ｅＮＢから指示された数の送信アンテナを同時に稼働させて、上り信号を基地局ｅＮＢに送信するようにしてもよい。
【００３７】
続いて、図２Ｂの処理手順について説明する。
【００３８】
ステップＳ１５で、基地局ｅＮＢは下り信号を送信する。ユーザ装置ＵＥは、稼働中の数の受信アンテナを用いて下り信号を受信する。
【００３９】
ステップＳ１６で、ユーザ装置ＵＥは、受信した下り信号に含まれる参照信号（Reference Signal）等を用いてチャネル推定を行い、ＭＩＭＯレイヤ数を示すＲＩ（ランク指標：Rank Indicator）、ＰＭＩ（プリコーディングマトリックス指標：Precoding Matrix Indicator）、ＣＱＩ（チャネル品質情報：Channel Quality Indicator）の推奨値の決定等を行う。また、決定したＲＩ、ＰＭＩ及びＣＱＩを、適宜基地局ｅＮＢにフィードバックする（チャネル状態通知を送信する）。なお、ユーザ装置ＵＥは、稼働中の受信アンテナ数が４本であれば、下り信号のチャネル推定に基づいて、レイヤ１〜レイヤ４までのいずれか１つのＭＩＭＯレイヤ数を推奨値として選択し、稼働中の受信アンテナ数が２本であれば、レイヤ１又はレイヤ２を推奨値として選択することができる。
【００４０】
ステップＳ１７で、基地局ｅＮＢはユーザ装置ＵＥからフィードバックされたＲＩ、ＰＭＩ及びＣＱＩの推奨値、及び、ステップＳ１３で指示した受信アンテナ数に基づき、ＭＩＭＯレイヤ数、変調方式及び符号化速度等を決定してスケジューリングを行い、下り信号を送信する。ユーザ装置ＵＥは、ステップＳ１３の処理手順で受信した指示情報で指示された数の受信アンテナを用いて下り信号を受信する。
【００４１】
なお、基地局ｅＮＢは、ピークスループットよりも受信ダイバーシチ利得を優先させたい場合、ユーザ装置ＵＥで稼働中の受信アンテナ数未満のレイヤ数で下り信号を送信するようにしてもよい。例えば、稼働中の受信アンテナ数が４本で、かつ、レイヤ数が２である場合、ユーザ装置ＵＥは、稼働中の受信アンテナ数が２本で、かつ、レイヤ数が２である場合と比較して、より大きな受信ダイバーシチ利得を得ることが可能である。
【００４２】
また、基地局ｅＮＢは、受信ダイバーシチ利得よりもピークスループットを優先させたい場合、稼働中の受信アンテナ数と同一のレイヤ数で下り信号を送信するようにしてもよい。
【００４３】
以上、実施の形態における無線通信システムが行う処理手順について説明した。本処理手順により、ユーザ装置ＵＥのバッテリー消費量よりもピークスループット又は受信ダイバーシチ利得を優先させたい場合、基地局ｅＮＢは、ユーザ装置ＵＥに対して、同時に稼働させる受信アンテナ数を強制的に指示することが可能になる。
【００４４】
また、基地局ｅＮＢ自身が備える送信アンテナ数が少ない（例えば１本など）場合に、ユーザ装置ＵＥで稼働させる受信アンテナ数が少なくなるようにユーザ装置ＵＥに指示することで、ユーザ装置ＵＥのバッテリー消費量を強制的に軽減させるという動作を実現することも可能になる。
【００４５】
＜機能構成＞
以上説明した実施の形態の動作を実行するユーザ装置ＵＥ及び基地局ｅＮＢの機能構成例を説明する。
【００４６】
（ユーザ装置）
図５は、実施の形態に係るユーザ装置の機能構成の一例を示す図である。図５に示すように、ユーザ装置ＵＥは、信号送信部１０１と、信号受信部１０２と、通知部１０３と、決定部１０４とを有する。なお、図５は、ユーザ装置ＵＥにおいて本発明の実施の形態に特に関連する機能部のみを示すものであり、少なくともＬＴＥに準拠した動作を行うための図示しない機能も有するものである。また、図５に示す機能構成は一例に過ぎない。本実施の形態に係る動作を実行できるのであれば、機能区分及び機能部の名称はどのようなものでもよい。
【００４７】
信号送信部１０１は、ユーザ装置ＵＥから送信されるべき上位のレイヤの信号から、物理レイヤの各種信号を生成し、無線送信する機能を含む。
【００４８】
信号受信部１０２は、基地局ｅＮＢから各種の無線信号を受信し、受信した物理レイヤの信号からより上位のレイヤの信号を取得する機能を含む。また、信号受信部１０２は、決定部１０４より指示された数の受信アンテナを稼働させ、基地局ｅＮＢから各種の無線信号を受信する機能を有する。また、信号受信部１０２は、基地局ｅＮＢから受信した指示情報を決定部１０４に通知する機能を有する。
【００４９】
通知部１０３は、信号送信部１０１を介して、基地局ｅＮＢにアンテナ数情報を通知する機能を有する。
【００５０】
決定部１０４は、基地局ｅＮＢから指示情報を受信した場合、指示情報で指示された受信アンテナ数を稼働させるように信号受信部１０２に指示する。
【００５１】
また、決定部１０４は、基地局ｅＮＢから指示情報を受信していない場合（つまり、基地局ｅＮＢから、同時に稼働させる受信アンテナ数の指示を受けていない場合）、又は、基地局ｅＮＢから指示情報を受信した場合であって、かつ、指示情報に受信アンテナ数の指示を解除することを示す情報が含まれている場合、ユーザ装置ＵＥ自身の状態（バッテリー残量等）に応じて稼働させる受信アンテナ数を任意に決定し、決定した受信アンテナ数を信号受信部１０２に指示する。
【００５２】
なお、信号受信部１０２は、指示情報を受信する第一の受信部と、基地局からの下り信号を受信する第二の受信部とで実現されてもよい。また、決定部１０４は、信号受信部１０２又は第二の受信部に含まれていてもよい。
【００５３】
（基地局）
図６は、実施の形態に係る基地局の機能構成の一例を示す図である。図６に示すように、基地局ｅＮＢは、信号送信部２０１と、信号受信部２０２と、アンテナ数情報受信部２０３と、指示部２０４とを有する。なお、図６は、基地局ｅＮＢにおいて本発明の実施の形態に特に関連する機能部のみを示すものであり、少なくともＬＴＥに準拠した動作を行うための図示しない機能も有するものである。また、図６に示す機能構成は一例に過ぎない。本実施の形態に係る動作を実行できるのであれば、機能区分及び機能部の名称はどのようなものでもよい。
【００５４】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の無線信号を受信し、受信した物理レイヤの信号からより上位のレイヤの信号を取得する機能を含む。
【００５５】
アンテナ数情報受信部２０３は、信号受信部２０２を介して、ユーザ装置ＵＥからアンテナ数情報を受信する機能を有する。また、アンテナ数情報受信部２０３は、受信したアンテナ数情報を指示部２０４に通知する機能を有する。
【００５６】
指示部２０４は、アンテナ数情報に含まれるアンテナ数に基づき、ユーザ装置ＵＥで同時に稼働させる受信アンテナ数を決定する機能を有する。また、指示部２０４は、決定した受信アンテナ数が設定された指示情報を、信号送信部２０１を介してユーザ装置ＵＥに送信する機能を有する。
【００５７】
＜ハードウェア構成＞
上記実施の形態の説明に用いたブロック図（図５及び図６）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５８】
例えば、本発明の一実施の形態におけるユーザ装置ＵＥ及び基地局ｅＮＢは、本発明の信号受信方法又は指示方法の処理を行うコンピュータとして機能してもよい。図７は、実施の形態に係る基地局及びユーザ装置のハードウェア構成の一例を示す図である。上述のユーザ装置ＵＥ及び基地局ｅＮＢは、物理的には、プロセッサ１００１、メモリ１００２、ストレージ１００３、通信装置１００４、入力装置１００５、出力装置１００６、バス１００７などを含むコンピュータ装置として構成されてもよい。
【００５９】
なお、以下の説明では、「装置」という文言は、回路、デバイス、ユニットなどに読み替えることができる。ユーザ装置ＵＥ及び基地局ｅＮＢのハードウェア構成は、図に示した各装置を１つ又は複数含むように構成されてもよいし、一部の装置を含まずに構成されてもよい。
【００６０】
ユーザ装置ＵＥ及び基地局ｅＮＢにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥの信号送信部１０１と、信号受信部１０２と、通知部１０３と、決定部１０４と、基地局ｅＮＢの信号送信部２０１と、信号受信部２０２と、アンテナ数情報受信部２０３と、指示部２０４とは、プロセッサ１００１で実現されてもよい。
【００６２】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥの信号送信部１０１と、信号受信部１０２と、通知部１０３と、決定部１０４と、基地局ｅＮＢの信号送信部２０１と、信号受信部２０２と、アンテナ数情報受信部２０３と、指示部２０４とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る信号受信方法又は指示方法を実施するために実行可能なプログラム（プログラムコード）、ソフトウェアモジュールなどを保存することができる。
【００６４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥの信号送信部１０１と、信号受信部１０２と、基地局ｅＮＢの信号送信部２０１と、信号受信部２０２とは、通信装置１００４で実現されてもよい。
【００６６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００６８】
また、ユーザ装置ＵＥ及び基地局ｅＮＢは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６９】
＜まとめ＞
以上説明した実施の形態によれば、基地局とユーザ装置とを有する無線通信システムにおけるユーザ装置であって、前記基地局に、当該ユーザ装置がサポートする受信アンテナ数を示すアンテナ数情報を通知する通知部と、前記基地局から、当該ユーザ装置で稼働させる受信アンテナ数を指示する指示情報を受信する第一の受信部と、前記指示情報を受信した場合、前記指示情報で指示された受信アンテナ数の受信アンテナを用いて前記基地局からの下り信号を受信する第二の受信部と、を有するユーザ装置が提供される。このユーザ装置ＵＥにより、ユーザ装置内で稼働させるアンテナ数を指示することができる技術が提供される。
【００７０】
また、前記第二の受信部は、受信アンテナ数の指示を解除することを示す前記指示情報を前記第一の受信部で受信した場合、稼働させる受信アンテナ数を任意に決定して前記基地局からの下り信号を受信するようにしてもよい。これにより、ユーザ装置ＵＥにおいて、同時に稼働させる受信アンテナ数が半永久的に固定されてしまうことを回避することができる。
【００７１】
また、以上説明した実施の形態によれば、基地局とユーザ装置とを有する無線通信システムにおける基地局であって、前記ユーザ装置から、前記ユーザ装置でサポートされる受信アンテナ数を示すアンテナ数情報を受信する受信部と、前記アンテナ数情報に含まれるアンテナ数に基づき、前記ユーザ装置で稼働させる受信アンテナ数を指示する指示情報を前記ユーザ装置に送信する送信部と、を有する基地局が提供される。この基地局ｅＮＢにより、ユーザ装置内で稼働させるアンテナ数を指示することができる技術が提供される。
【００７２】
また、以上説明した実施の形態によれば、基地局とユーザ装置とを有する無線通信システムにおけるユーザ装置が実行する信号受信方法であって、前記基地局に、当該ユーザ装置がサポートする受信アンテナ数を示すアンテナ数情報を通知するステップと、前記基地局から、当該ユーザ装置で稼働させる受信アンテナ数を指示する指示情報を受信するステップと、前記指示情報を受信した場合、前記指示情報で指示された受信アンテナ数の受信アンテナを用いて前記基地局からの下り信号を受信するステップと、を有する信号受信方法が提供される。この信号受信方法により、ユーザ装置内で稼働させるアンテナ数を指示することができる技術が提供される。
【００７３】
また、以上説明した実施の形態によれば、基地局とユーザ装置とを有する無線通信システムにおける基地局が実行する指示方法であって、前記ユーザ装置から、前記ユーザ装置でサポートされる受信アンテナ数を示すアンテナ数情報を受信するステップと、前記アンテナ数情報に含まれるアンテナ数に基づき、前記ユーザ装置で稼働させる受信アンテナ数を指示する指示情報を前記ユーザ装置に送信するステップと、を有する指示方法が提供される。この指示方法により、ユーザ装置内で稼働させるアンテナ数を指示することができる技術が提供される。
【００７４】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
本特許出願は２０１５年８月２７日に出願した日本国特許出願第２０１５−１６８３４１号に基づきその優先権を主張するものであり、日本国特許出願第２０１５−１６８３４１号の全内容を本願に援用する。
【符号の説明】
【００７７】
ｅＮＢ  基地局
ＵＥ  ユーザ装置
１０１  信号送信部
１０２  信号受信部
１０３  通知部
１０４  決定部
２０１  信号送信部
２０２  信号受信部
２０３  アンテナ数情報受信部
２０４  指示部
１００１  プロセッサ
１００２  メモリ
１００３  ストレージ
１００４  通信装置
１００５  入力装置
１００６  出力装置
【図１】
2017033807.tif 000003
【図２Ａ】
2017033807.tif 000004
【図２Ｂ】
2017033807.tif 000005
【図３】
2017033807.tif 000006
【図４】
2017033807.tif 000007
【図５】
2017033807.tif 000008
【図６】
2017033807.tif 000009
【図７】
2017033807.tif 000010
【国際調査報告】
2017033807.tif 000011
2017033807.tif 000012